(57)【要約】【課題】サービス提供圏外に長時間位置する場合でも、長時間にわたって通信可能な基地局が検出できなかったり、あるいはバッテリ電力の浪費を防止する。【解決手段】制御部１３０がサービス圏外に位置することを検出すると、第１探索手段１４０ａにより、第１リスト記憶エリア１３０ａに記憶される情報に基づく基地局ＢＳの探索を一定の周期で行うとともに、第２探索手段１４０ｂにより、第２リスト記憶エリア１３０ｂに記憶される情報に基づく基地局ＢＳの探索を、その実行回数Ｃｓに応じて、徐々に延ばした周期で行うようにしたものである。【選択図】      図１
2006237850.tif 000002
【特許請求の範囲】
【請求項１】
無線基地局から送信される無線信号を受信する受信手段と、
この受信手段による受信結果から、無線基地局と通信ができない状態を検出する圏外検出手段と、
この圏外検出手段が通信できない状態を検出した場合に、前記受信手段を制御して、通信可能な無線基地局を探索する探索手段と、
この探索手段による無線基地局の探索回数に応じて、前記探索手段による探索頻度を可変する探索周期可変手段とを具備したことを特徴とする移動無線端末。
【請求項２】
無線基地局から送信される無線信号を受信する受信手段と、
この受信手段による受信結果から、無線基地局と通信ができない状態を検出する圏外検出手段と、
この圏外検出手段が通信できない状態を検出した場合に、前記受信手段を制御して、通信可能な無線基地局を探索する探索手段と、
前記圏外検出手段が通信できない状態を検出してからの経過時間に応じて、前記探索手段による探索頻度を可変する探索周期可変手段とを具備したことを特徴とする移動無線端末。
【請求項３】
無線基地局から送信される無線信号を受信する受信手段と、
この受信手段による受信結果から、無線基地局と通信ができない状態を検出する圏外検出手段と、
この圏外検出手段が通信できない状態を検出した場合に、探索周期が経過するごとに前記受信手段を制御して、通信可能な無線基地局を探索する探索手段と、
この探索手段による無線基地局の探索回数に応じて、前記探索周期を可変する探索周期可変手段とを具備したことを特徴とする移動無線端末。
【請求項４】
さらに、複数の無線基地局の識別情報を記憶する第１記憶手段と、
この第１記憶手段が記憶する無線基地局の識別情報のうち、過去に通信した無線基地局の識別情報を記憶する第２記憶手段を備え、
前記探索手段は、前記第１記憶手段が記憶する識別情報に基づいて、複数の無線基地局について、第１探索周期で通信可能な無線基地局を探索するとともに、前記第２記憶手段が記憶する識別情報に基づいて、過去に通信した無線基地局について、第２探索周期で通信可能な無線基地局を探索し、
前記探索周期可変手段は、前記探索手段による無線基地局の探索回数に応じて、前記第１探索周期を可変することを特徴とする請求項３に記載の移動無線端末。
【請求項５】
さらに、複数の無線基地局の識別情報を記憶する第１記憶手段と、
この第１記憶手段が記憶する無線基地局の識別情報のうち、過去に通信した無線基地局の識別情報を記憶する第２記憶手段を備え、
前記探索手段は、前記第１記憶手段が記憶する識別情報に基づいて、複数の無線基地局について、第１探索周期で通信可能な無線基地局を探索するとともに、前記第２記憶手段が記憶する識別情報に基づいて、過去に通信した無線基地局について、第２探索周期で通信可能な無線基地局を探索し、
前記探索周期可変手段は、前記探索手段による無線基地局の探索回数に応じて、前記第１探索周期および前記第２探索周期を可変することを特徴とする請求項３に記載の移動無線端末。
【請求項６】
無線基地局から送信される無線信号を受信する受信手段と、
この受信手段による受信結果から、無線基地局と通信ができない状態を検出する圏外検出手段と、
この圏外検出手段が通信できない状態を検出した場合に、探索周期が経過するごとに前記受信手段を制御して、通信可能な無線基地局を探索する探索手段と、
前記圏外検出手段が通信できない状態を検出してからの経過時間に応じて、前記探索周期を可変する探索周期可変手段とを具備したことを特徴とする移動無線端末。
【請求項７】
さらに、複数の無線基地局の識別情報を記憶する第１記憶手段と、
この第１記憶手段が記憶する無線基地局の識別情報のうち、過去に通信した無線基地局の識別情報を記憶する第２記憶手段を備え、
前記探索手段は、前記第１記憶手段が記憶する識別情報に基づいて、複数の無線基地局について、第１探索周期で通信可能な無線基地局を探索するとともに、前記第２記憶手段が記憶する識別情報に基づいて、過去に通信した無線基地局について、第２探索周期で通信可能な無線基地局を探索し、
前記探索周期可変手段は、前記圏外検出手段が通信できない状態を検出してからの経過時間に応じて、前記第１探索周期を可変することを特徴とする請求項６に記載の移動無線端末。
【請求項８】
さらに、複数の無線基地局の識別情報を記憶する第１記憶手段と、
この第１記憶手段が記憶する無線基地局の識別情報のうち、過去に通信した無線基地局の識別情報を記憶する第２記憶手段を備え、
前記探索手段は、前記第１記憶手段が記憶する識別情報に基づいて、複数の無線基地局について、第１探索周期で通信可能な無線基地局を探索するとともに、前記第２記憶手段が記憶する識別情報に基づいて、過去に通信した無線基地局について、第２探索周期で通信可能な無線基地局を探索し、
前記探索周期可変手段は、前記圏外検出手段が通信できない状態を検出してからの経過時間に応じて、前記第１探索周期および前記第２探索周期を可変することを特徴とする請求項６に記載の移動無線端末。
【請求項９】
前記探索周期可変手段は、前記第１探索周期よりも前記第２探索周期を短く設定することを特徴とする請求項４、請求項５、請求項７、請求項８のいずれかに記載の移動無線端末。
【請求項１０】
さらに、過去に通信した無線基地局の識別情報を記憶する記憶手段を備え、
前記探索手段は、前記記憶手段が記憶する識別情報に基づいて、過去に通信した無線基地局について、通信可能な無線基地局を探索することを特徴とする請求項３または請求項６に記載の移動無線端末。
【請求項１１】
さらに、前記受信手段による受信結果から、受信電力レベルの高い周波数を検出するレベル検出手段を備え、
前記探索手段は、記憶手段が記憶する無線基地局の識別情報のうち、前記レベル検出手段が検出した周波数に対応する無線基地局について、前記探索周期が経過するごとに前記受信手段を制御して、通信可能な無線基地局を探索することを特徴とする請求項３または請求項６に記載の移動無線端末。
【発明の詳細な説明】
【技術分野】
【０００１】
この発明は、例えば国際ローミングのように、移動に伴って異なるシステムを利用することが可能な移動無線端末に関する。
【背景技術】
【０００２】
周知のように、従来の移動無線端末は、基地局との通信で用いられる周波数を、使用される可能性に応じて複数のリストに分類し、使用される可能性の高いリストから順に使用可能な周波数を探索するようにしている（例えば、特許文献１参照）。
【０００３】
ところで、上述した従来の移動無線端末は、長時間にわたってサービス提供圏外に位置する状態になると、例えば４時間程度の周期で、すべての周波数を含むリストに基づいて周波数を探索（全周波数サーチ）し、通信可能な基地局を確実に検出するようにしている。
【０００４】
しかしながら、このような従来の手法では、ユーザが国外に移動して国際ローミングを行おうとした場合、上述したように全周波数サーチは４時間程度の周期で行われるため、例えサービス提供圏内にいたとしても、通信可能な基地局を検出するまでに最悪で４時間程度を要することになる。
【０００５】
また全周波数サーチを行っても、何らかの原因（例えば、一時的なシャドウイング等）により、通信可能な基地局を検出できなかった場合には、さらに４時間の間、通信可能な基地局を捕捉できないことになる。
【０００６】
このような不具合に対処するために、全周波数サーチの実行周期を短くするという手法も考えられるが、国際ローミングを行おうとする場合、ユーザは目的地に移動するまでに長時間の間、サービス提供圏外に位置しており、不必要に全周波数サーチが行われて、バッテリ電力を浪費してしまうことになる。
【０００７】
このように従来の移動無線端末では、国際ローミングを行う場合などのように、サービス提供圏外に長時間位置する場合に、長時間にわたって通信可能な基地局が検出できなかったり、あるいはバッテリ電力を浪費するという問題があった。
【特許文献１】特開２００２−３５４５３２公報
【発明の開示】
【発明が解決しようとする課題】
【０００８】
従来の移動無線端末では、通信可能な基地局を探索する周期が固定されているため、国際ローミングを行う場合などのように、サービス提供圏外に長時間位置する場合に、長時間にわたって通信可能な基地局が検出できなかったり、あるいはバッテリ電力を浪費するという問題があった。
【０００９】
この発明は上記の問題を解決すべくなされたもので、国際ローミングを行う場合などのように、サービス提供圏外に長時間位置する場合でも、長時間にわたって通信可能な基地局が検出できなかったり、バッテリ電力を浪費することのない移動無線端末を提供することを目的とする。
【課題を解決するための手段】
【００１０】
上記の目的を達成するために、この発明は、無線基地局から送信される無線信号を受信する受信手段と、この受信手段による受信結果から、無線基地局と通信ができない状態を検出する圏外検出手段と、この圏外検出手段が通信できない状態を検出した場合に、受信手段を制御して、通信可能な無線基地局を探索する探索手段と、この探索手段による無線基地局の探索回数に応じて、探索手段による探索頻度を可変する探索周期可変手段とを具備して構成するようにした。
【発明の効果】
【００１１】
以上述べたように、この発明では、無線基地局と通信ができない状態を検出した場合に、受信手段を制御して通信可能な無線基地局を探索するもので、この探索回数に応じて、探索頻度を可変するようにしている。
【００１２】
したがって、この発明によれば、通信可能な基地局を探索した回数に応じて探索頻度を可変することができるため、国際ローミングを行う場合などのように、サービス提供圏外に長時間位置する場合でも、長時間にわたって通信可能な基地局が検出できなかったり、あるいはバッテリ電力を浪費することのない移動無線端末を提供できる。
【発明を実施するための最良の形態】
【００１３】
以下、図面を参照して、この発明の一実施形態について説明する。  
図１は、この発明の第１の実施形態に係わる移動無線端末１００の構成を示すものである。移動無線端末１００は、アンテナ１１と、送受信部１１０と、信号処理部１２０と、記憶部１３０と、制御部１４０とを備えている。
【００１４】
アンテナ１１は、移動通信網ＮＷに収容される基地局ＢＳから送信される無線信号を空間から受信したり、あるいは空間に無線信号を放射するものである。移動通信網ＮＷおよび基地局ＢＳは、移動通信システムの一部である。図１では、基地局ＢＳは都合上１つだけ図示しているが、実際には多数が移動通信網ＮＷに収容される。
【００１５】
また移動通信システムは、多数の無線ゾーンを形成する。各無線ゾーンには、少なくとも１つの基地局ＢＳが配備される。無線ゾーンは、隣接する無線ゾーンとは異なる周波数が割り当てられており、この割り当てられた周波数で基地局ＢＳは移動無線端末１００と無線通信する。
【００１６】
送受信部１１０は、Ｗ−ＣＤＭＡ（Wideband Code Division Multiple Access）方式のシステムと、ＧＳＭ（Global System for Mobile communication）方式のシステムの両方に対応する無線通信部であり、アンテナ１１を通じて基地局ＢＳと無線通信するものである。送受信部１１０は、信号処理部１２０から入力される送信信号を、後述する制御部１４０から指定される周波数の無線信号にアップコンバートする。
【００１７】
また送受信部１１０は、基地局ＢＳから受信した無線信号のうち、制御部１４０から指定される周波数の無線信号をダウンコンバータして、受信信号として信号処理部１２０に出力する。
【００１８】
信号処理部１２０は、Ｗ−ＣＤＭＡ方式のシステムと、ＧＳＭ方式のシステムの両方に対応するものであり、図示しないマイクロホンから入力された音声信号を符号化し、この符号化結果を用いて搬送波信号を変調して上記送信信号を生成する。また信号処理部１２０は、送受信部１１０から入力される受信信号を復調し、この復調結果を復号して音声信号を得る。この音声信号は、図示しないスピーカから拡声出力される。
【００１９】
記憶部１３０は、制御部１４０の制御プログラムや制御データを記憶するとともに、周波数を識別する情報を記憶するエリアとして第１リスト記憶エリア１３０ａと、第２リスト記憶エリア１３０ｂと、サーチ周期テーブル記憶エリア１３０ｃとを備える。また記憶部１３０は、第１探索周期T_List1、第２探索周期T_List2およびサーチカウンタＣｓの各値を記憶する。
【００２０】
第１リスト記憶エリア１３０ａには、過去に着信待ち受けに用いたチャネルや過去に通信に用いたチャネルに対応する周波数を識別する情報が記憶され、これらの情報は運用に応じて制御部１４０により更新される。
【００２１】
また第２リスト記憶エリア１３０ｂには、当該移動無線端末１００で通信可能なすべての周波数を識別する情報が記憶される。この例では、当該移動無線端末１００がＷ−ＣＤＭＡ方式のシステムと、ＧＳＭ方式のシステムに対応するため、合計１０００個以上の周波数を識別する情報を第２リスト記憶エリア１３０ｂが記憶する。
【００２２】
サーチ周期テーブル記憶エリア１３０ｃは、例えば図２に示すようなサーチ周期テーブルを記憶する。このサーチ周期テーブルは、第２リスト記憶エリア１３０ｂに記憶される情報に基づく基地局ＢＳの探索回数Ｃｓと、上記基地局ＢＳを探索する第２探索周期T_List2とを対応づけたものである。
【００２３】
制御部１４０は、当該移動無線端末１００の各部を統括して制御するものであって、Ｗ−ＣＤＭＡ方式のシステムやＧＳＭ方式による音声通信やデータ通信を実現する制御機能を備えるとともに、通信可能な基地局ＢＳを探索する制御機能として、タイマ機能、第１探索手段１４０ａおよび第２探索手段１４０ｂを備える。
【００２４】
第１探索手段１４０ａは、上記第１リスト記憶エリア１３０ａに記憶される情報に基づいて、通信可能な基地局ＢＳを探索する制御機能であり、第２探索手段１４０ｂは、上記第１リスト記憶エリア１３０ｂに記憶される情報に基づいて、通信可能な基地局ＢＳを探索する制御機能である。
【００２５】
なお、第１探索手段１４０ａおよび第２探索手段１４０ｂ、送受信部１１０の受信周波数を可変制御し、所定のチャネルを通じて基地局ＢＳから送信されるパイロット信号を検出することにより、基地局ＢＳの探索を行う。
【００２６】
次に、上記構成の移動無線端末１００の動作について説明する。なお、以下の説明では、基地局ＢＳを通じた通常の通信動作については説明を省略し、制御部１４０が当該移動無線端末１００がサービス提供エリアから外れてサービス圏外に位置することを検出した場合に実行される基地局サーチの動作について説明する。
【００２７】
図３は、制御部１４０が、上記基地局サーチに関わる制御動作を説明するためのフローチャートである。このフローチャートの基となる制御プログラムや制御データは、記憶部１３０に予め記憶されている。
【００２８】
まず、ステップ３Ａにおいて制御部１４０は、サーチカウンタＣｓをリセットして「０」にし、ステップ３ａに移行する。  
ステップ３ａにおいて制御部１４０は、第１探索手段１４０ａを用いて、送受信部１１０などの必要な部位を起動し（ウエイクアップ）、通信可能な基地局ＢＳの探索を実行する。これにより第１探索手段１４０ａは、第１リスト記憶エリア１３０ａに記憶される情報に基づいて、送受信部１１０の受信周波数を制御し、通信可能な基地局ＢＳを探索する。
【００２９】
ここで、通信可能な基地局ＢＳが検出できた場合には、当該処理を終了し、基地局ＢＳを通じて当該移動無線端末１００の位置をシステムに登録し、着信を待ち受ける。一方、通信可能な基地局ＢＳが検出できなかった場合には、ステップ３ｂに移行する。
【００３０】
ステップ３ｂにおいて制御部１４０は、第２探索手段１４０ｂを用いて、通信可能な基地局ＢＳの探索を実行する。これにより第２探索手段１４０ｂは、第２リスト記憶エリア１３０ｂに記憶される情報に基づいて、送受信部１１０の受信周波数を制御し、通信可能な基地局ＢＳを探索する。
【００３１】
ここで、通信可能な基地局ＢＳが検出できた場合には、当該処理を終了し、基地局ＢＳを通じて当該移動無線端末１００の位置をシステムに登録し、着信を待ち受ける。また検出した基地局ＢＳの識別情報を、第１リスト記憶エリア１３０ａに記録する。一方、通信可能な基地局ＢＳが検出できなかった場合には、送受信部１１０など起動した部位を停止させ（スリープ）、ステップ３ｃに移行する。
【００３２】
ステップ３ｃにおいて制御部１４０は、第１探索周期T_List1として１０［ｓ］を設定する。また制御部１４０は、サーチ周期テーブル記憶エリア１３０ｃに記憶されるサーチ周期テーブルを参照し、記憶部１３０が記憶するサーチカウンタＣｓに対応する値を第２探索周期T_List2に設定する。ここでは、サーチカウンタＣｓが「０」であるため、第２探索周期T_List2として３［ｍｉｎ］が設定される。
【００３３】
ステップ３ｄにおいて制御部１４０は、タイマＴ１およびＴ２を起動し、それぞれ計時を開始して、ステップ３ｅに移行する。  
ステップ３ｅにおいて制御部１４０は、タイマＴ１の値が、第１探索周期T_List1を経過したか否かを判定する。ここで、タイマＴ１の値が、第１探索周期T_List1を経過した場合には、ステップ３ｆに移行し、一方、経過していない場合には、ステップ３ｈに移行する。
【００３４】
ステップ３ｆにおいて制御部１４０は、第１探索手段１４０ａを用いて、送受信部１１０などの必要な部位を起動し（ウエイクアップ）、通信可能な基地局ＢＳの探索を実行する。これにより第１探索手段１４０ａは、第１リスト記憶エリア１３０ａに記憶される情報に基づいて、送受信部１１０の受信周波数を制御し、通信可能な基地局ＢＳを探索する。
【００３５】
ここで、通信可能な基地局ＢＳが検出できた場合には、当該処理を終了し、基地局ＢＳを通じて当該移動無線端末１００の位置をシステムに登録し、着信を待ち受ける。一方、通信可能な基地局ＢＳが検出できなかった場合には、送受信部１１０など起動した部位を停止させ（スリープ）、ステップ３ｇに移行する。
【００３６】
ステップ３ｇにおいて制御部１４０は、タイマＴ１をリスタートし、ステップ３ｈに移行する。  
ステップ３ｈにおいて制御部１４０は、タイマＴ２の値が、第２探索周期T_List2を経過したか否かを判定する。ここで、タイマＴ２の値が、第２探索周期T_List2を経過した場合には、ステップ３ｉに移行し、一方、経過していない場合には、ステップ３ｅに移行する。
【００３７】
ステップ３ｉにおいて制御部１４０は、記憶部１３０が記憶するサーチカウンタＣｓの値を「１」を加えた値に更新したのち、第２探索手段１４０ｂを用いて、送受信部１１０などの必要な部位を起動（ウエイクアップ）し、通信可能な基地局ＢＳの探索を実行する。これにより第２探索手段１４０ｂは、第２リスト記憶エリア１３０ｂに記憶される情報に基づいて、送受信部１１０の受信周波数を制御し、通信可能な基地局ＢＳを探索する。
【００３８】
ここで、通信可能な基地局ＢＳが検出できた場合には、当該処理を終了し、基地局ＢＳを通じて当該移動無線端末１００の位置をシステムに登録し、着信を待ち受ける。また検出した基地局ＢＳの識別情報を、第１リスト記憶エリア１３０ａに記録する。一方、通信可能な基地局ＢＳが検出できなかった場合には、送受信部１１０など起動した部位を停止させ（スリープ）、ステップ３ｊに移行する。
【００３９】
ステップ３ｊにおいて制御部１４０は、サーチ周期テーブル記憶エリア１３０ｃに記憶されるサーチ周期テーブルを参照し、記憶部１３０が記憶するサーチカウンタＣｓに対応する値を第２探索周期T_List2に設定する。
【００４０】
また制御部１４０は、タイマＴ２をリスタートさせ、ステップ３ｅに移行する。これにより、第２探索周期T_List2は、第２リスト記憶エリア１３０ｂに記憶される情報に基づく基地局ＢＳの探索回数Ｃｓに応じた探索周期が設定される。
【００４１】
次に、上記基地局サーチの制御動作により、基地局ＢＳを探索する周期の変化する様子について説明する。図４は、その変化を示す図である。なお、基地局ＢＳを検出した場合には、この処理は終了するため、図４に示す例では、説明を明確するために、基地局ＢＳが検出できない状態が継続する場合を示す。
【００４２】
まず、当該移動無線端末１００がサービス提供エリアから外れてサービス圏外に位置することを制御部１４０が検出すると、第１探索手段１４０ａによる探索Ｓ１（ステップ３ａ）や、第２探索手段１４０ｂによる探索Ｓ２（ステップ３ｂ）が連続して実施される。
【００４３】
第２探索手段１４０ｂによる探索Ｓ２が終了すると、第１探索周期T_List1（＝１０［ｓ］）ごとに、第１探索手段１４０ａによる探索Ｓ３（ステップ３ｆ）が繰り返し行われる。
【００４４】
やがて、第２探索手段１４０ｂによる探索Ｓ２が終了してから第２探索周期T_List2（＝３［ｍｉｎ］）が経過すると、第２探索手段１４０ｂによる探索Ｓ４（ステップ３ｉ）が実施される。
【００４５】
そして、第２探索手段１４０ｂによる探索Ｓ４が終了すると、第１探索周期T_List1（＝１０［ｓ］）ごとに、第１探索手段１４０ａによる探索Ｓ５（ステップ３ｆ）が繰り返し行われる。
【００４６】
やがて、第２探索手段１４０ｂによる探索Ｓ４が終了してから第２探索周期T_List2（＝５［ｍｉｎ］）が経過すると、第２探索手段１４０ｂによる探索Ｓ６（ステップ３ｉ）が実施される。
【００４７】
さらに、第２探索手段１４０ｂによる探索Ｓ６が終了すると、第１探索周期T_List1（＝１０［ｓ］）ごとに、第１探索手段１４０ａによる探索Ｓ７（ステップ３ｆ）が繰り返し行われる。
【００４８】
やがて、第２探索手段１４０ｂによる探索Ｓ６が終了してから第２探索周期T_List2（＝１０［ｍｉｎ］）が経過すると、第２探索手段１４０ｂによる探索Ｓ８（ステップ３ｉ）が実施される。
【００４９】
以上のように、上記構成の移動無線端末１００では、サービス圏外に位置することを検出すると、第１リスト記憶エリア１３０ａに記憶される情報に基づく基地局ＢＳの探索を一定の周期で行うとともに、第２リスト記憶エリア１３０ｂに記憶される情報に基づく基地局ＢＳの探索を、その実行回数Ｃｓに応じて、徐々に延ばした周期で行うようにしている。
【００５０】
これは、一般に、サービス圏外に位置する時間が長くなるにつれて、移動無線端末１００がサービス圏内に位置する確率が低下することに着目したものである。すなわち、上記構成の移動無線端末１００は、サービス圏外に位置することを検出した初期時には、高頻度で基地局ＢＳの探索を行い、時間が経過するにつれ、低頻度で基地局ＢＳの探索を行うようにしている。
【００５１】
したがって、上記構成の移動無線端末１００によれば、サービス圏外となった初期時には、通信可能な基地局ＢＳを検出しやすく、また時間が経過するにつれ、基地局ＢＳの探索に費やす消費電力を軽減することができるので、効率よく上記探索を行うことができる。
【００５２】
次に、この発明の第２の実施形態に係わる移動無線端末２００について説明する。図５は、上記移動無線端末２００の構成を示すものである。移動無線端末２００は、アンテナ２１と、送受信部２１０と、信号処理部２２０と、記憶部２３０と、制御部２４０とを備えている。
【００５３】
アンテナ２１は、移動通信網ＮＷに収容される基地局ＢＳから送信される無線信号を空間から受信したり、あるいは空間に無線信号を放射するものである。移動通信網ＮＷおよび基地局ＢＳは、移動通信システムの一部である。図５では、基地局ＢＳは都合上１つだけ図示しているが、実際には多数が移動通信網ＮＷに収容される。
【００５４】
また移動通信システムは、多数の無線ゾーンを形成する。各無線ゾーンには、少なくとも１つの基地局ＢＳが配備される。無線ゾーンは、隣接する無線ゾーンとは異なる周波数が割り当てられており、この割り当てられた周波数で基地局ＢＳは移動無線端末２００と無線通信する。
【００５５】
送受信部２１０は、Ｗ−ＣＤＭＡ方式のシステムと、ＧＳＭ方式のシステムの両方に対応する無線通信部であり、アンテナ２１を通じて基地局ＢＳと無線通信するものである。送受信部２１０は、信号処理部２２０から入力される送信信号を、後述する制御部２４０から指定される周波数の無線信号にアップコンバートする。
【００５６】
また送受信部２１０は、基地局ＢＳから受信した無線信号のうち、制御部２４０から指定される周波数の無線信号をダウンコンバータして、受信信号として信号処理部２２０に出力する。
【００５７】
信号処理部２２０は、Ｗ−ＣＤＭＡ方式のシステムと、ＧＳＭ方式のシステムの両方に対応するものであり、図示しないマイクロホンから入力された音声信号を符号化し、この符号化結果を用いて搬送波信号を変調して上記送信信号を生成する。また信号処理部２２０は、送受信部２１０から入力される受信信号を復調し、この復調結果を復号して音声信号を得る。この音声信号は、図示しないスピーカから拡声出力される。
【００５８】
記憶部２３０は、制御部２４０の制御プログラムや制御データを記憶するとともに、周波数を識別する情報を記憶するエリアとして第１リスト記憶エリア２３０ａと、第２リスト記憶エリア２３０ｂと、サーチ周期テーブル記憶エリア２３０ｃとを備える。また記憶部２３０は、第１探索周期T_List1および第２探索周期T_List2の各値を記憶する。
【００５９】
第１リスト記憶エリア２３０ａには、過去に着信待ち受けに用いたチャネルや過去に通信に用いたチャネルに対応する周波数を識別する情報が記憶され、これらの情報は運用に応じて制御部２４０により更新される。
【００６０】
また第２リスト記憶エリア２３０ｂには、当該移動無線端末２００で通信可能なすべての周波数を識別する情報が記憶される。この例では、当該移動無線端末２００がＷ−ＣＤＭＡ方式のシステムと、ＧＳＭ方式のシステムに対応するため、合計１０００個以上の周波数を識別する情報を第２リスト記憶エリア２３０ｂが記憶する。
【００６１】
サーチ周期テーブル記憶エリア２３０ｃは、例えば図６に示すようなサーチ周期テーブルを記憶する。このサーチ周期テーブルは、当該移動無線端末２００がサービス提供エリアから外れてサービス圏外に位置し始めてからの経過時間Ｔｅと、上記基地局ＢＳを探索する第２探索周期T_List2とを対応づけたものである。
【００６２】
制御部２４０は、当該移動無線端末２００の各部を統括して制御するものであって、Ｗ−ＣＤＭＡ方式のシステムやＧＳＭ方式による音声通信やデータ通信を実現する制御機能を備えるとともに、通信可能な基地局ＢＳを探索する制御機能として、タイマ機能、第１探索手段２４０ａおよび第２探索手段２４０ｂを備える。
【００６３】
第１探索手段２４０ａは、上記第１リスト記憶エリア２３０ａに記憶される情報に基づいて、通信可能な基地局ＢＳを探索する制御機能であり、第２探索手段２４０ｂは、上記第１リスト記憶エリア２３０ｂに記憶される情報に基づいて、通信可能な基地局ＢＳを探索する制御機能である。
【００６４】
なお、第１探索手段２４０ａおよび第２探索手段２４０ｂ、送受信部２１０の受信周波数を可変制御し、所定のチャネルを通じて基地局ＢＳから送信されるパイロット信号を検出することにより、基地局ＢＳの探索を行う。
【００６５】
次に、上記構成の移動無線端末２００の動作について説明する。なお、以下の説明では、基地局ＢＳを通じた通常の通信動作については説明を省略し、制御部２４０が当該移動無線端末２００がサービス提供エリアから外れてサービス圏外に位置することを検出した場合に実行される基地局サーチの動作について説明する。
【００６６】
図７は、制御部２４０が、上記基地局サーチに関わる制御動作を説明するためのフローチャートである。このフローチャートの基となる制御プログラムや制御データは、記憶部２３０に予め記憶されている。
【００６７】
まず、ステップ７Ａにおいて制御部２４０は、タイマＴｅを起動して、計時を開始し、ステップ７ａに移行する。このタイマＴｅは、当該移動無線端末２００がサービス提供エリアから外れてサービス圏外に位置し始めてからの経過時間を示すものである。
【００６８】
ステップ７ａにおいて制御部２４０は、第１探索手段２４０ａを用いて、送受信部２１０などの必要な部位を起動し（ウエイクアップ）、通信可能な基地局ＢＳの探索を実行する。これにより第１探索手段２４０ａは、第１リスト記憶エリア２３０ａに記憶される情報に基づいて、送受信部２１０の受信周波数を制御し、通信可能な基地局ＢＳを探索する。
【００６９】
ここで、通信可能な基地局ＢＳが検出できた場合には、当該処理を終了し、基地局ＢＳを通じて当該移動無線端末２００の位置をシステムに登録し、着信を待ち受ける。一方、通信可能な基地局ＢＳが検出できなかった場合には、ステップ７ｂに移行する。
【００７０】
ステップ７ｂにおいて制御部２４０は、第２探索手段２４０ｂを用いて、通信可能な基地局ＢＳの探索を実行する。これにより第２探索手段２４０ｂは、第２リスト記憶エリア２３０ｂに記憶される情報に基づいて、送受信部２１０の受信周波数を制御し、通信可能な基地局ＢＳを探索する。
【００７１】
ここで、通信可能な基地局ＢＳが検出できた場合には、当該処理を終了し、基地局ＢＳを通じて当該移動無線端末２００の位置をシステムに登録し、着信を待ち受ける。また検出した基地局ＢＳの識別情報を、第１リスト記憶エリア２３０ａに記録する。一方、通信可能な基地局ＢＳが検出できなかった場合には、送受信部２１０など起動した部位を停止させ（スリープ）、ステップ７ｃに移行する。
【００７２】
ステップ７ｃにおいて制御部２４０は、第１探索周期T_List1として１０［ｓ］を設定するとともに、第２探索周期T_List2として３［ｍｉｎ］を設定する。  
ステップ７ｄにおいて制御部２４０は、タイマＴ１およびＴ２を起動し、それぞれ計時を開始して、ステップ７ｅに移行する。
【００７３】
ステップ７ｅにおいて制御部２４０は、タイマＴ１の値が、第１探索周期T_List1を経過したか否かを判定する。ここで、タイマＴ１の値が、第１探索周期T_List1を経過した場合には、ステップ７ｆに移行し、一方、経過していない場合には、ステップ７ｈに移行する。
【００７４】
ステップ７ｆにおいて制御部２４０は、第１探索手段２４０ａを用いて、送受信部２１０などの必要な部位を起動し（ウエイクアップ）、通信可能な基地局ＢＳの探索を実行する。これにより第１探索手段２４０ａは、第１リスト記憶エリア２３０ａに記憶される情報に基づいて、送受信部２１０の受信周波数を制御し、通信可能な基地局ＢＳを探索する。
【００７５】
ここで、通信可能な基地局ＢＳが検出できた場合には、当該処理を終了し、基地局ＢＳを通じて当該移動無線端末２００の位置をシステムに登録し、着信を待ち受ける。一方、通信可能な基地局ＢＳが検出できなかった場合には、送受信部２１０など起動した部位を停止させ（スリープ）、ステップ７ｇに移行する。
【００７６】
ステップ７ｇにおいて制御部２４０は、タイマＴ１をリスタートし、ステップ７ｈに移行する。  
ステップ７ｈにおいて制御部２４０は、タイマＴ２の値が、第２探索周期T_List2を経過したか否かを判定する。ここで、タイマＴ２の値が、第２探索周期T_List2を経過した場合には、ステップ７ｉに移行し、一方、経過していない場合には、ステップ７ｅに移行する。
【００７７】
ステップ７ｉにおいて制御部２４０は、第２探索手段２４０ｂを用いて、送受信部２１０などの必要な部位を起動（ウエイクアップ）し、通信可能な基地局ＢＳの探索を実行する。これにより第２探索手段２４０ｂは、第２リスト記憶エリア２３０ｂに記憶される情報に基づいて、送受信部２１０の受信周波数を制御し、通信可能な基地局ＢＳを探索する。
【００７８】
ここで、通信可能な基地局ＢＳが検出できた場合には、当該処理を終了し、基地局ＢＳを通じて当該移動無線端末２００の位置をシステムに登録し、着信を待ち受ける。また検出した基地局ＢＳの識別情報を、第１リスト記憶エリア２３０ａに記録する。一方、通信可能な基地局ＢＳが検出できなかった場合には、送受信部２１０など起動した部位を停止させ（スリープ）、ステップ７ｊに移行する。
【００７９】
ステップ７ｊにおいて制御部２４０は、第１サーチ周期テーブル記憶エリア２３０ｃに記憶されるサーチ周期テーブルを参照し、ステップ７Ａでスタートしたタイマの経過時間Ｔｅに対応する値を第２探索周期T_List2に設定する。
【００８０】
また制御部２４０は、タイマＴ２をリスタートさせ、ステップ７ｅに移行する。これにより、第２探索周期T_List2は、当該移動無線端末２００がサービス圏外に位置し始めてからの経過時間Ｔｅに応じた探索周期が設定される。
【００８１】
次に、上記基地局サーチの制御動作により、基地局ＢＳを探索する周期の変化する様子について説明する。図８は、その変化を示す図である。なお、基地局ＢＳを検出した場合には、この処理は終了するため、図８に示す例では、説明を明確するために、基地局ＢＳが検出できない状態が継続する場合を示す。
【００８２】
まず、当該移動無線端末２００がサービス提供エリアから外れてサービス圏外に位置することを制御部２４０が検出すると、タイマＴｅの計時が開始され（ステップ７Ａ）、第１探索手段２４０ａによる探索Ｓ１（ステップ７ａ）や、第２探索手段２４０ｂによる探索Ｓ２（ステップ７ｂ）が連続して実施される。
【００８３】
第２探索手段２４０ｂによる探索Ｓ２が終了すると、第１探索周期T_List1（＝１０［ｓ］）ごとに、第１探索手段２４０ａによる探索Ｓ３（ステップ７ｆ）が繰り返し行われる。
【００８４】
やがて、第２探索手段２４０ｂによる探索Ｓ２が終了してから第２探索周期T_List2（＝３［ｍｉｎ］）が経過すると、第２探索手段２４０ｂによる探索Ｓ４０（ステップ７ｉ）が実施される。
【００８５】
このような探索処理が繰り返された後、第２探索手段２４０ｂによる探索Ｓ４１が終了した時点で、経過時間Ｔｅが１０［ｍｉｎ］を超えていると、第２探索周期T_List2に５［ｍｉｎ］が設定される（ステップ７ｊ）。
【００８６】
その後、第１探索周期T_List1（＝１０［ｓ］）ごとに、第１探索手段２４０ａによる探索Ｓ５（ステップ７ｆ）が繰り返し行われる。やがて、第２探索手段２４０ｂによる探索Ｓ４１が終了してから第２探索周期T_List2（＝５［ｍｉｎ］）が経過すると、第２探索手段２４０ｂによる探索Ｓ６０（ステップ７ｉ）が実施される。
【００８７】
このような探索処理が繰り返された後、第２探索手段２４０ｂによる探索Ｓ６１が終了した時点で、経過時間Ｔｅが３０［ｍｉｎ］を超えていると、第２探索周期T_List2に１０［ｍｉｎ］が設定される（ステップ７ｊ）。
【００８８】
その後、第１探索周期T_List1（＝１０［ｓ］）ごとに、第１探索手段３４０ａによる探索Ｓ７（ステップ７ｆ）が繰り返し行われる。やがて、第２探索手段３４０ｂによる探索Ｓ６１が終了してから第２探索周期T_List2（＝１０［ｍｉｎ］）が経過すると、第２探索手段３４０ｂによる探索Ｓ８（ステップ７ｉ）が実施される。
【００８９】
以上のように、上記構成の移動無線端末２００では、サービス圏外に位置することを検出すると、第１リスト記憶エリア２３０ａに記憶される情報に基づく基地局ＢＳの探索を一定の周期で行うとともに、サービス圏外に位置するようになってからの経過時間Ｔｅに応じて、第２リスト記憶エリア２３０ｂに記憶される情報に基づく基地局ＢＳの探索を、徐々に延ばした周期で行うようにしている。
【００９０】
これは、一般に、サービス圏外に位置する時間が長くなるにつれて、移動無線端末２００がサービス圏内に位置する確率が低下することに着目したものである。すなわち、上記構成の移動無線端末２００は、サービス圏外に位置することを検出した初期時には、高頻度で基地局ＢＳの探索を行い、時間が経過するにつれ、低頻度で基地局ＢＳの探索を行うようにしている。
【００９１】
したがって、上記構成の移動無線端末２００によれば、サービス圏外となった初期時には、通信可能な基地局ＢＳを検出しやすく、また時間が経過するにつれ、基地局ＢＳの探索に費やす消費電力を軽減することができるので、効率よく上記探索を行うことができる。
【００９２】
次に、この発明の第３の実施形態に係わる移動無線端末３００について説明する。図９は、上記移動無線端末３００の構成を示すものである。移動無線端末３００は、アンテナ３１と、送受信部３１０と、信号処理部３２０と、記憶部３３０と、制御部３４０とを備えている。
【００９３】
アンテナ３１は、移動通信網ＮＷに収容される基地局ＢＳから送信される無線信号を空間から受信したり、あるいは空間に無線信号を放射するものである。移動通信網ＮＷおよび基地局ＢＳは、移動通信システムの一部である。図９では、基地局ＢＳは都合上１つだけ図示しているが、実際には多数が移動通信網ＮＷに収容される。
【００９４】
また移動通信システムは、多数の無線ゾーンを形成する。各無線ゾーンには、少なくとも１つの基地局ＢＳが配備される。無線ゾーンは、隣接する無線ゾーンとは異なる周波数が割り当てられており、この割り当てられた周波数で基地局ＢＳは移動無線端末３００と無線通信する。
【００９５】
送受信部３１０は、Ｗ−ＣＤＭＡ方式のシステムと、ＧＳＭ方式のシステムの両方に対応する無線通信部であり、アンテナ３１を通じて基地局ＢＳと無線通信するものである。送受信部３１０は、信号処理部３２０から入力される送信信号を、後述する制御部３４０から指定される周波数の無線信号にアップコンバートする。
【００９６】
また送受信部３１０は、基地局ＢＳから受信した無線信号のうち、制御部３４０から指定される周波数の無線信号をダウンコンバータして、受信信号として信号処理部３２０に出力する。
【００９７】
信号処理部３２０は、Ｗ−ＣＤＭＡ方式のシステムと、ＧＳＭ方式のシステムの両方に対応するものであり、図示しないマイクロホンから入力された音声信号を符号化し、この符号化結果を用いて搬送波信号を変調して上記送信信号を生成する。また信号処理部３２０は、送受信部３１０から入力される受信信号を復調し、この復調結果を復号して音声信号を得る。この音声信号は、図示しないスピーカから拡声出力される。
【００９８】
記憶部３３０は、制御部３４０の制御プログラムや制御データを記憶するとともに、周波数を識別する情報を記憶するエリアとして第１リスト記憶エリア３３０ａと、第２リスト記憶エリア３３０ｂと、第１サーチ周期テーブル記憶エリア３３０ｃと、第２サーチ周期テーブル記憶エリア３３０ｄとを備える。また記憶部３３０は、第１探索周期T_List1および第２探索周期T_List2の各値を記憶する。
【００９９】
第１リスト記憶エリア３３０ａには、過去に着信待ち受けに用いたチャネルや過去に通信に用いたチャネルに対応する周波数を識別する情報が記憶され、これらの情報は運用に応じて制御部３４０により更新される。
【０１００】
また第２リスト記憶エリア３３０ｂには、当該移動無線端末３００で通信可能なすべての周波数を識別する情報が記憶される。この例では、当該移動無線端末３００がＷ−ＣＤＭＡ方式のシステムと、ＧＳＭ方式のシステムに対応するため、合計１０００個以上の周波数を識別する情報を第２リスト記憶エリア３３０ｂが記憶する。
【０１０１】
第１サーチ周期テーブル記憶エリア３３０ｃは、例えば図１０に示すようなサーチ周期テーブルを記憶する。このサーチ周期テーブルは、当該移動無線端末３００がサービス提供エリアから外れてサービス圏外に位置し始めてからの経過時間Ｔｅと、上記基地局ＢＳを探索する第１探索周期T_List1とを対応づけたものである。
【０１０２】
第２サーチ周期テーブル記憶エリア３３０ｄは、例えば図６に示すようなサーチ周期テーブルを記憶する。このサーチ周期テーブルは、上記経過時間Ｔｅと、上記基地局ＢＳを探索する第２探索周期T_List2とを対応づけたものである。
【０１０３】
制御部３４０は、当該移動無線端末３００の各部を統括して制御するものであって、Ｗ−ＣＤＭＡ方式のシステムやＧＳＭ方式による音声通信やデータ通信を実現する制御機能を備えるとともに、通信可能な基地局ＢＳを探索する制御機能として、タイマ機能、第１探索手段３４０ａおよび第２探索手段３４０ｂを備える。
【０１０４】
第１探索手段３４０ａは、上記第１リスト記憶エリア３３０ａに記憶される情報に基づいて、通信可能な基地局ＢＳを探索する制御機能であり、第２探索手段３４０ｂは、上記第１リスト記憶エリア３３０ｂに記憶される情報に基づいて、通信可能な基地局ＢＳを探索する制御機能である。
【０１０５】
なお、第１探索手段３４０ａおよび第２探索手段３４０ｂ、送受信部３１０の受信周波数を可変制御し、所定のチャネルを通じて基地局ＢＳから送信されるパイロット信号を検出することにより、基地局ＢＳの探索を行う。
【０１０６】
次に、上記構成の移動無線端末３００の動作について説明する。なお、以下の説明では、基地局ＢＳを通じた通常の通信動作については説明を省略し、制御部３４０が当該移動無線端末３００がサービス提供エリアから外れてサービス圏外に位置することを検出した場合に実行される基地局サーチの動作について説明する。
【０１０７】
図１１は、制御部３４０が、上記基地局サーチに関わる制御動作を説明するためのフローチャートである。このフローチャートの基となる制御プログラムや制御データは、記憶部３３０に予め記憶されている。
【０１０８】
まず、ステップ１１Ａにおいて制御部３４０は、タイマＴｅを起動して、計時を開始し、ステップ１１ａに移行する。このタイマＴｅは、当該移動無線端末３００がサービス提供エリアから外れてサービス圏外に位置し始めてからの経過時間を示すものである。
【０１０９】
ステップ１１ａにおいて制御部３４０は、第１探索手段３４０ａを用いて、送受信部３１０などの必要な部位を起動し（ウエイクアップ）、通信可能な基地局ＢＳの探索を実行する。これにより第１探索手段３４０ａは、第１リスト記憶エリア３３０ａに記憶される情報に基づいて、送受信部３１０の受信周波数を制御し、通信可能な基地局ＢＳを探索する。
【０１１０】
ここで、通信可能な基地局ＢＳが検出できた場合には、当該処理を終了し、基地局ＢＳを通じて当該移動無線端末３００の位置をシステムに登録し、着信を待ち受ける。一方、通信可能な基地局ＢＳが検出できなかった場合には、ステップ１１ｂに移行する。
【０１１１】
ステップ１１ｂにおいて制御部３４０は、第２探索手段３４０ｂを用いて、通信可能な基地局ＢＳの探索を実行する。これにより第２探索手段３４０ｂは、第２リスト記憶エリア３３０ｂに記憶される情報に基づいて、送受信部３１０の受信周波数を制御し、通信可能な基地局ＢＳを探索する。
【０１１２】
ここで、通信可能な基地局ＢＳが検出できた場合には、当該処理を終了し、基地局ＢＳを通じて当該移動無線端末３００の位置をシステムに登録し、着信を待ち受ける。また検出した基地局ＢＳの識別情報を、第１リスト記憶エリア３３０ａに記録する。一方、通信可能な基地局ＢＳが検出できなかった場合には、送受信部３１０など起動した部位を停止させ（スリープ）、ステップ１１ｃに移行する。
【０１１３】
ステップ１１ｃにおいて制御部３４０は、第１探索周期T_List1として１０［ｓ］を設定するとともに、第２探索周期T_List2として３［ｍｉｎ］を設定する。  
ステップ１１ｄにおいて制御部３４０は、タイマＴ１およびＴ２を起動し、それぞれ計時を開始して、ステップ１１ｅに移行する。
【０１１４】
ステップ１１ｅにおいて制御部３４０は、タイマＴ１の値が、第１探索周期T_List1を経過したか否かを判定する。ここで、タイマＴ１の値が、第１探索周期T_List1を経過した場合には、ステップ１１ｆに移行し、一方、経過していない場合には、ステップ１１ｈに移行する。
【０１１５】
ステップ１１ｆにおいて制御部３４０は、第１探索手段３４０ａを用いて、送受信部３１０などの必要な部位を起動し（ウエイクアップ）、通信可能な基地局ＢＳの探索を実行する。これにより第１探索手段３４０ａは、第１リスト記憶エリア３３０ａに記憶される情報に基づいて、送受信部３１０の受信周波数を制御し、通信可能な基地局ＢＳを探索する。
【０１１６】
ここで、通信可能な基地局ＢＳが検出できた場合には、当該処理を終了し、基地局ＢＳを通じて当該移動無線端末３００の位置をシステムに登録し、着信を待ち受ける。一方、通信可能な基地局ＢＳが検出できなかった場合には、送受信部３１０など起動した部位を停止させ（スリープ）、ステップ１１ｇに移行する。
【０１１７】
ステップ１１ｇにおいて制御部３４０は、第１サーチ周期テーブル記憶エリア３３０ｃに記憶されるサーチ周期テーブルを参照し、ステップ１１Ａでスタートしたタイマの経過時間Ｔｅに対応する値を第１探索周期T_List1に設定する。
【０１１８】
また制御部３４０は、タイマＴ１をリスタートさせ、ステップ１１ｈに移行する。これにより、第１探索周期T_List1は、当該移動無線端末３００がサービス圏外に位置し始めてからの経過時間Ｔｅに応じた探索周期が設定される。
【０１１９】
ステップ１１ｈにおいて制御部３４０は、タイマＴ２の値が、第２探索周期T_List2を経過したか否かを判定する。ここで、タイマＴ２の値が、第２探索周期T_List2を経過した場合には、ステップ１１ｉに移行し、一方、経過していない場合には、ステップ１１ｅに移行する。
【０１２０】
ステップ１１ｉにおいて制御部３４０は、第２探索手段３４０ｂを用いて、送受信部３１０などの必要な部位を起動（ウエイクアップ）し、通信可能な基地局ＢＳの探索を実行する。これにより第２探索手段３４０ｂは、第２リスト記憶エリア３３０ｂに記憶される情報に基づいて、送受信部３１０の受信周波数を制御し、通信可能な基地局ＢＳを探索する。
【０１２１】
ここで、通信可能な基地局ＢＳが検出できた場合には、当該処理を終了し、基地局ＢＳを通じて当該移動無線端末３００の位置をシステムに登録し、着信を待ち受ける。また検出した基地局ＢＳの識別情報を、第１リスト記憶エリア３３０ａに記録する。一方、通信可能な基地局ＢＳが検出できなかった場合には、送受信部３１０など起動した部位を停止させ（スリープ）、ステップ１１ｊに移行する。
【０１２２】
ステップ１１ｊにおいて制御部３４０は、第２サーチ周期テーブル記憶エリア３３０ｄに記憶されるサーチ周期テーブルを参照し、ステップ１１Ａでスタートしたタイマの経過時間Ｔｅに対応する値を第２探索周期T_List2に設定する。
【０１２３】
また制御部３４０は、タイマＴ２をリスタートさせ、ステップ１１ｅに移行する。これにより、第２探索周期T_List2は、当該移動無線端末３００がサービス圏外に位置し始めてからの経過時間Ｔｅに応じた探索周期が設定される。
【０１２４】
次に、上記基地局サーチの制御動作により、基地局ＢＳを探索する周期の変化する様子について説明する。図１２は、その変化を示す図である。なお、基地局ＢＳを検出した場合には、この処理は終了するため、図１２に示す例では、説明を明確するために、基地局ＢＳが検出できない状態が継続する場合を示す。
【０１２５】
まず、当該移動無線端末３００がサービス提供エリアから外れてサービス圏外に位置することを制御部３４０が検出すると、タイマＴｅの計時が開始され（ステップ１１Ａ）、第１探索手段３４０ａによる探索Ｓ１（ステップ１１ａ）や、第２探索手段３４０ｂによる探索Ｓ２（ステップ１１ｂ）が連続して実施される。
【０１２６】
第２探索手段３４０ｂによる探索Ｓ２が終了すると、第１探索周期T_List1（＝１０［ｓ］）ごとに、第１探索手段３４０ａによる探索Ｓ３（ステップ１１ｆ）が繰り返し行われる。
【０１２７】
やがて、第２探索手段３４０ｂによる探索Ｓ２が終了してから第２探索周期T_List2（＝３［ｍｉｎ］）が経過すると、第２探索手段３４０ｂによる探索Ｓ４０（ステップ１１ｉ）が実施される。
【０１２８】
このような探索処理が繰り返された後、第２探索手段３４０ｂによる探索Ｓ４１が終了した時点で、経過時間Ｔｅが１０［ｍｉｎ］を超えていると、第１探索周期T_List1に2２０［ｓ］が設定される（ステップ１１ｇ）とともに、第２探索周期T_List2に５［ｍｉｎ］が設定される（ステップ１１ｊ）。
【０１２９】
その後、第１探索周期T_List1（＝２０［ｓ］）ごとに、第１探索手段３４０ａによる探索Ｓ５（ステップ１１ｆ）が繰り返し行われる。やがて、第２探索手段３４０ｂによる探索Ｓ４１が終了してから第２探索周期T_List2（＝５［ｍｉｎ］）が経過すると、第２探索手段３４０ｂによる探索Ｓ６０（ステップ１１ｉ）が実施される。
【０１３０】
このような探索処理が繰り返された後、経過時間Ｔｅが３０［ｍｉｎ］を超えていると、第２探索周期T_List2に１０［ｍｉｎ］が設定される（ステップ１１ｊ）。この時点において、第１探索手段３４０ａによる探索Ｓ５（ステップ１１ｆ）は、第１探索周期T_List1（＝２０［ｓ］）ごとに、繰り返し行われる。
【０１３１】
このような探索処理が繰り返された後、第２探索手段３４０ｂによる探索Ｓ６１が終了した時点で、経過時間Ｔｅが６０［ｍｉｎ］を超えていると、第１探索周期T_List1に2３０［ｓ］が設定される（ステップ１１ｇ）とともに、第２探索周期T_List2に１５［ｍｉｎ］が設定される（ステップ１１ｊ）。
【０１３２】
その後、第１探索周期T_List1（＝３０［ｓ］）ごとに、第１探索手段３４０ａによる探索Ｓ７（ステップ１１ｆ）が繰り返し行われる。やがて、第２探索手段３４０ｂによる探索Ｓ６１が終了してから第２探索周期T_List2（＝１５［ｍｉｎ］）が経過すると、第２探索手段３４０ｂによる探索Ｓ８（ステップ１１ｉ）が実施される。
【０１３３】
以上のように、上記構成の移動無線端末３００では、サービス圏外に位置することを検出すると、サービス圏外に位置するようになってからの経過時間Ｔｅに応じて、第１リスト記憶エリア３３０ａに記憶される情報に基づく基地局ＢＳの探索と、第２リスト記憶エリア３３０ｂに記憶される情報に基づく基地局ＢＳの探索を、徐々に延ばした周期で行うようにしている。
【０１３４】
これは、一般に、サービス圏外に位置する時間が長くなるにつれて、移動無線端末３００がサービス圏内に位置する確率が低下することに着目したものである。すなわち、上記構成の移動無線端末３００は、サービス圏外に位置することを検出した初期時には、高頻度で基地局ＢＳの探索を行い、時間が経過するにつれ、低頻度で基地局ＢＳの探索を行うようにしている。
【０１３５】
したがって、上記構成の移動無線端末３００によれば、サービス圏外となった初期時には、通信可能な基地局ＢＳを検出しやすく、また時間が経過するにつれ、基地局ＢＳの探索に費やす消費電力を軽減することができるので、効率よく上記探索を行うことができる。
【０１３６】
次に、この発明の第４の実施形態に係わる移動無線端末４００について説明する。図１３は、この発明の第４の実施形態に係わる移動無線端末４００の構成を示すものである。移動無線端末４００は、アンテナ４１と、送受信部４１０と、信号処理部４２０と、記憶部４３０と、制御部４４０と、前兆検出部４５０とを備えている。
【０１３７】
アンテナ４１は、移動通信網ＮＷに収容される基地局ＢＳから送信される無線信号を空間から受信したり、あるいは空間に無線信号を放射するものである。移動通信網ＮＷおよび基地局ＢＳは、移動通信システムの一部である。図１３では、基地局ＢＳは都合上１つだけ図示しているが、実際には多数が移動通信網ＮＷに収容される。
【０１３８】
また移動通信システムは、多数の無線ゾーンを形成する。各無線ゾーンには、少なくとも１つの基地局ＢＳが配備される。無線ゾーンは、隣接する無線ゾーンとは異なる周波数が割り当てられており、この割り当てられた周波数で基地局ＢＳは移動無線端末４００と無線通信する。
【０１３９】
送受信部４１０は、Ｗ−ＣＤＭＡ方式のシステムと、ＧＳＭ方式のシステムの両方に対応する無線通信部であり、アンテナ４１を通じて基地局ＢＳと無線通信するものである。送受信部４１０は、信号処理部４２０から入力される送信信号を、後述する制御部４４０から指定される周波数の無線信号にアップコンバートする。
【０１４０】
また送受信部４１０は、基地局ＢＳから受信した無線信号のうち、制御部４４０から指定される周波数の無線信号をダウンコンバータして、受信信号として信号処理部４２０に出力する。
【０１４１】
信号処理部４２０は、Ｗ−ＣＤＭＡ方式のシステムと、ＧＳＭ方式のシステムの両方に対応するものであり、図示しないマイクロホンから入力された音声信号を符号化し、この符号化結果を用いて搬送波信号を変調して上記送信信号を生成する。また信号処理部４２０は、送受信部４１０から入力される受信信号を復調し、この復調結果を復号して音声信号を得る。この音声信号は、図示しないスピーカから拡声出力される。
【０１４２】
記憶部４３０は、制御部４４０の制御プログラムや制御データを記憶するとともに、周波数を識別する情報を記憶するエリアとして第１リスト記憶エリア４３０ａと、第２リスト記憶エリア４３０ｂと、サーチ周期テーブル記憶エリア４３０ｃとを備える。また記憶部４３０は、第１探索周期T_List1、第２探索周期T_List2、サーチカウンタＣｓおよび前兆検出フラグＦの各値を記憶する。
【０１４３】
第１リスト記憶エリア４３０ａには、過去に着信待ち受けに用いたチャネルや過去に通信に用いたチャネルに対応する周波数を識別する情報が記憶され、これらの情報は運用に応じて制御部４４０により更新される。
【０１４４】
また第２リスト記憶エリア４３０ｂには、当該移動無線端末４００で通信可能なすべての周波数を識別する情報が記憶される。この例では、当該移動無線端末４００がＷ−ＣＤＭＡ方式のシステムと、ＧＳＭ方式のシステムに対応するため、合計１０００個以上の周波数を識別する情報を第２リスト記憶エリア４３０ｂが記憶する。
【０１４５】
サーチ周期テーブル記憶エリア４３０ｃは、例えば図２に示すようなサーチ周期テーブルを記憶する。このサーチ周期テーブルは、第２リスト記憶エリア４３０ｂに記憶される情報に基づく基地局ＢＳの探索回数Ｃｓと、上記基地局ＢＳを探索する第２探索周期T_List2とを対応づけたものである。
【０１４６】
前兆検出部４５０は、例えば加速度センサを用いて実現できる。この前兆検出部４５０は、ユーザが当該移動無線端末４００を持ち上げるなどして、ユーザがこれから移動無線端末４００を使用しようとする前兆を検出するものである。この検出結果は、制御部４４０に通知される。
【０１４７】
なお、前兆検出部４５０は、加速度センサ以外のセンサを用いて実現することも可能である。圧力センサを用いる場合には、当該移動無線端末４００の表面に対する加圧を検出し、これのよりユーザ操作の予兆を検出する。
【０１４８】
あるいは、当該移動無線端末４００が備えるキー入力部（図示しない）に対する操作を予兆として検出するようにしてもよい。またこの場合、音声通話やメール、インターネットアクセスなどの通信機能に関する操作がなされた場合に限って、予兆があったものとして検出するようにしてよい。
【０１４９】
制御部４４０は、当該移動無線端末４００の各部を統括して制御するものであって、Ｗ−ＣＤＭＡ方式のシステムやＧＳＭ方式による音声通信やデータ通信を実現する制御機能を備えるとともに、通信可能な基地局ＢＳを探索する制御機能として、タイマ機能、第１探索手段４４０ａおよび第２探索手段４４０ｂを備える。
【０１５０】
第１探索手段４４０ａは、上記第１リスト記憶エリア４３０ａに記憶される情報に基づいて、通信可能な基地局ＢＳを探索する制御機能であり、第２探索手段４４０ｂは、上記第１リスト記憶エリア４３０ｂに記憶される情報に基づいて、通信可能な基地局ＢＳを探索する制御機能である。
【０１５１】
なお、第１探索手段４４０ａおよび第２探索手段４４０ｂ、送受信部４１０の受信周波数を可変制御し、所定のチャネルを通じて基地局ＢＳから送信されるパイロット信号を検出することにより、基地局ＢＳの探索を行う。
【０１５２】
次に、上記構成の移動無線端末４００の動作について説明する。なお、以下の説明では、基地局ＢＳを通じた通常の通信動作については説明を省略し、制御部４４０が当該移動無線端末４００がサービス提供エリアから外れてサービス圏外に位置することを検出した場合に実行される基地局サーチの動作について説明する。
【０１５３】
図１４は、制御部４４０が、上記基地局サーチに関わる制御動作を説明するためのフローチャートである。このフローチャートの基となる制御プログラムや制御データは、記憶部４３０に予め記憶されている。
【０１５４】
まず、ステップ１４Ａにおいて制御部４４０は、サーチカウンタＣｓおよび前兆検出フラグＦをリセットして「０」にするとともに、前兆検出部４５０を起動し、ステップ１４ａに移行する。
【０１５５】
これにより前兆検出部４５０は、ユーザ操作の前兆の監視を開始する。前兆検出部４５０が前兆を検出すると、この旨が制御部４４０に通知される。通知を受けた制御部４４０は、以下に説明するいずれのステップにあっても、直ちに前兆検出フラグＦを「１」に設定する。
【０１５６】
ステップ１４ａにおいて制御部４４０は、第１探索手段４４０ａを用いて、送受信部４１０などの必要な部位を起動し（ウエイクアップ）、通信可能な基地局ＢＳの探索を実行する。これにより第１探索手段４４０ａは、第１リスト記憶エリア４３０ａに記憶される情報に基づいて、送受信部４１０の受信周波数を制御し、通信可能な基地局ＢＳを探索する。
【０１５７】
ここで、通信可能な基地局ＢＳが検出できた場合には、当該処理を終了し、基地局ＢＳを通じて当該移動無線端末４００の位置をシステムに登録し、着信を待ち受ける。一方、通信可能な基地局ＢＳが検出できなかった場合には、ステップ１４ｂに移行する。
【０１５８】
ステップ１４ｂにおいて制御部４４０は、第２探索手段４４０ｂを用いて、通信可能な基地局ＢＳの探索を実行する。これにより第２探索手段４４０ｂは、第２リスト記憶エリア４３０ｂに記憶される情報に基づいて、送受信部４１０の受信周波数を制御し、通信可能な基地局ＢＳを探索する。
【０１５９】
ここで、通信可能な基地局ＢＳが検出できた場合には、当該処理を終了し、基地局ＢＳを通じて当該移動無線端末４００の位置をシステムに登録し、着信を待ち受ける。また検出した基地局ＢＳの識別情報を、第１リスト記憶エリア４３０ａに記録する。一方、通信可能な基地局ＢＳが検出できなかった場合には、送受信部４１０など起動した部位を停止させ（スリープ）、ステップ１４ｃに移行する。
【０１６０】
ステップ１４ｃにおいて制御部４４０は、第１探索周期T_List1として１０［ｓ］を設定する。また制御部４４０は、サーチ周期テーブル記憶エリア４３０ｃに記憶されるサーチ周期テーブルを参照し、記憶部４３０が記憶するサーチカウンタＣｓに対応する値を第２探索周期T_List2に設定する。ここでは、サーチカウンタＣｓが「０」であるため、第２探索周期T_List2として３［ｍｉｎ］が設定される。
【０１６１】
ステップ１４ｄにおいて制御部４４０は、タイマＴ１およびＴ２を起動し、それぞれ計時を開始して、ステップ１４ｅに移行する。  
ステップ１４ｅにおいて制御部４４０は、タイマＴ１の値が、第１探索周期T_List1を経過したか否かを判定する。ここで、タイマＴ１の値が、第１探索周期T_List1を経過した場合には、ステップ１４ｆに移行し、一方、経過していない場合には、ステップ１４ｈに移行する。
【０１６２】
ステップ１４ｆにおいて制御部４４０は、第１探索手段４４０ａを用いて、送受信部４１０などの必要な部位を起動し（ウエイクアップ）、通信可能な基地局ＢＳの探索を実行する。これにより第１探索手段４４０ａは、第１リスト記憶エリア４３０ａに記憶される情報に基づいて、送受信部４１０の受信周波数を制御し、通信可能な基地局ＢＳを探索する。
【０１６３】
ここで、通信可能な基地局ＢＳが検出できた場合には、当該処理を終了し、基地局ＢＳを通じて当該移動無線端末４００の位置をシステムに登録し、着信を待ち受ける。一方、通信可能な基地局ＢＳが検出できなかった場合には、送受信部４１０など起動した部位を停止させ（スリープ）、ステップ１４ｇに移行する。
【０１６４】
ステップ１４ｇにおいて制御部４４０は、タイマＴ１をリスタートし、ステップ１４ｈに移行する。  
ステップ１４ｈにおいて制御部４４０は、タイマＴ２の値が、第２探索周期T_List2を経過したか、あるいは前兆検出フラグＦが「１」か否かを判定する。ここで、タイマＴ２の値が、第２探索周期T_List2を経過した場合や、前兆検出フラグＦが「１」の場合には、ステップ１４ｉに移行する。一方、タイマＴ２の値が、第２探索周期T_List2を経過しておらず、かつ、前兆検出フラグＦが「０」の場合には、ステップ１４ｅに移行する。
【０１６５】
ステップ１４ｉにおいて制御部４４０は、第２探索手段４４０ｂを用いて、送受信部４１０などの必要な部位を起動（ウエイクアップ）し、通信可能な基地局ＢＳの探索を実行する。これにより第２探索手段４４０ｂは、第２リスト記憶エリア４３０ｂに記憶される情報に基づいて、送受信部４１０の受信周波数を制御し、通信可能な基地局ＢＳを探索する。
【０１６６】
ここで、通信可能な基地局ＢＳが検出できた場合には、当該処理を終了し、基地局ＢＳを通じて当該移動無線端末４００の位置をシステムに登録し、着信を待ち受ける。また検出した基地局ＢＳの識別情報を、第１リスト記憶エリア４３０ａに記録する。一方、通信可能な基地局ＢＳが検出できなかった場合には、送受信部４１０など起動した部位を停止させ（スリープ）、ステップ１４ｊに移行する。
【０１６７】
ステップ１４ｊにおいて制御部４４０は、前兆検出フラグＦが「１」か否かを判定する。ここで、前兆検出フラグＦが「１」の場合には、ステップ１４ｋに移行し、一方、前兆検出フラグＦが「０」の場合には、ステップ１４ｌに移行する。
【０１６８】
ステップ１４ｋにおいて制御部４４０は、サーチカウンタＣｓおよび前兆検出フラグＦをリセットして「０」にし、ステップ１４ｍに移行する。  
一方、ステップ１４ｌにおいて制御部４４０は、記憶部４３０が記憶するサーチカウンタＣｓの値を「１」を加えた値に更新し、ステップ１４ｍに移行する。
【０１６９】
ステップ１４ｍにおいて制御部４４０は、サーチ周期テーブル記憶エリア４３０ｃに記憶されるサーチ周期テーブルを参照し、記憶部４３０が記憶するサーチカウンタＣｓに対応する値を第２探索周期T_List2に設定する。
【０１７０】
また制御部４４０は、タイマＴ２をリスタートさせ、ステップ１４ｅに移行する。これにより、第２探索周期T_List2は、第２リスト記憶エリア４３０ｂに記憶される情報に基づく基地局ＢＳの探索回数Ｃｓに応じた探索周期が設定される。
【０１７１】
次に、上記基地局サーチの制御動作により、基地局ＢＳを探索する周期の変化する様子について説明する。図１５は、その変化を示す図である。なお、基地局ＢＳを検出した場合には、この処理は終了するため、図１５に示す例では、説明を明確するために、基地局ＢＳが検出できない状態が継続する場合を示す。
【０１７２】
また図１５に示す例では、基地局ＢＳが検出できない状態が継続して、第１探索手段４４０ａによる探索Ｓ１や、第２探索手段４４０ｂによる探索Ｓ２が繰り返され、第２探索周期T_List2に３０［ｍｉｎ］が設定された状態以降の動作について説明する。
【０１７３】
第２探索手段４４０ｂによる探索Ｓ２が終了すると、第１探索周期T_List1（＝１０［ｓ］）ごとに、第１探索手段４４０ａによる探索Ｓ３（ステップ１４ｆ）が繰り返し行われる。
【０１７４】
やがて、第２探索手段４４０ｂによる探索Ｓ２が終了してから第２探索周期T_List2（＝３０［ｍｉｎ］）が経過すると、第２探索手段４４０ｂによる探索Ｓ４（ステップ１４ｉ）が実施される。
【０１７５】
そして、第２探索手段４４０ｂによる探索Ｓ４が終了すると、第１探索周期T_List1（＝１０［ｓ］）ごとに、第１探索手段４４０ａによる探索Ｓ５（ステップ１４ｆ）が繰り返し行われる。
【０１７６】
この間に、前兆検出部４５０がユーザ操作の前兆を検出すると、この旨が制御部４４０に通知され、前兆検出フラグＦが「１」に設定される。  
やがて、ステップ１４ｈに至ると、前兆検出フラグＦが「１」に設定されることより、第２探索手段４４０ｂによる探索Ｓ６（ステップ１４ｉ）が実施される。
【０１７７】
そして、第２探索手段４４０ｂによる探索Ｓ６が終了すると、サーチカウンタＣｓが「０」にリセットされ（ステップ１４ｋ）、このサーチカウンタＣｓ（＝「０」）に基づいて、第２探索周期T_List2が３［ｍｉｎ］に設定され（ステップ１４ｍ）、第１探索周期T_List1（＝１０［ｓ］）ごとに、第１探索手段４４０ａによる探索Ｓ７（ステップ１４ｆ）が繰り返し行われる。
【０１７８】
やがて、第２探索手段４４０ｂによる探索Ｓ６が終了してから第２探索周期T_List2（＝３［ｍｉｎ］）が経過すると、第２探索手段４４０ｂによる探索Ｓ８（ステップ１４ｉ）が実施される。
【０１７９】
そして、第２探索手段４４０ｂによる探索Ｓ８が終了すると、サーチカウンタＣｓに「１」が加算されて（ステップ１４ｌ）、このサーチカウンタＣｓ（＝「１」）に基づいて、第２探索周期T_List2が５［ｍｉｎ］に設定される（ステップ１４ｍ）。
【０１８０】
その後は、第１探索周期T_List1（＝１０［ｓ］）ごとに、第１探索手段４４０ａによる探索Ｓ９（ステップ１４ｆ）が繰り返し行われる。そして、第２探索手段４４０ｂによる探索Ｓ８が終了してから第２探索周期T_List2（＝５［ｍｉｎ］）が経過すると、第２探索手段４４０ｂによる探索Ｓ１０（ステップ１４ｉ）が実施される。
【０１８１】
以上のように、上記構成の移動無線端末４００では、サービス圏外に位置することを検出すると、第１リスト記憶エリア４３０ａに記憶される情報に基づく基地局ＢＳの探索を一定の周期で行うとともに、第２リスト記憶エリア４３０ｂに記憶される情報に基づく基地局ＢＳの探索を、その実行回数Ｃｓに応じて、徐々に延ばした周期で行うようにしている。
【０１８２】
これは、一般に、サービス圏外に位置する時間が長くなるにつれて、移動無線端末４００がサービス圏内に位置する確率が低下することに着目したものである。すなわち、上記構成の移動無線端末４００は、サービス圏外に位置することを検出した初期時には、高頻度で基地局ＢＳの探索を行い、時間が経過するにつれ、低頻度で基地局ＢＳの探索を行うようにしている。
【０１８３】
したがって、上記構成の移動無線端末４００によれば、サービス圏外となった初期時には、通信可能な基地局ＢＳを検出しやすく、また時間が経過するにつれ、基地局ＢＳの探索に費やす消費電力を軽減することができるので、効率よく上記探索を行うことができる。
【０１８４】
また上記構成の移動無線端末４００では、サービス圏外に位置することを検出した後に、前兆検出部４５０がユーザ操作の前兆を検出すると、第２リスト記憶エリア４３０ｂに記憶される情報に基づく基地局ＢＳの探索を行うようにしている。
【０１８５】
したがって、上記構成の移動無線端末４００によれば、サービス圏外に位置する状態が長期化して、第２リスト記憶エリア４３０ｂに記憶される情報に基づく基地局ＢＳの探索の周期T_List2が長時間化した場合でも、ユーザ操作の前兆に応じて、直ちに第２リスト記憶エリア４３０ｂに記憶される情報に基づく基地局ＢＳの探索が行われる。
【０１８６】
このため、ユーザは、移動無線端末４００に対して前兆検出部４５０が前兆を検出するような行為を行うだけ、通信可能な基地局ＢＳが探索されるので、ユーザは迅速に通信を行うことができる。
【０１８７】
さらには、上記構成の移動無線端末４００では、サービス圏外に位置することを検出した後に、前兆検出部４５０がユーザ操作の前兆を検出すると、第２リスト記憶エリア４３０ｂに記憶される情報に基づく基地局ＢＳの探索周期T_List2を短く設定するようにしている。
【０１８８】
したがって、上記構成の移動無線端末４００によれば、ユーザは、移動無線端末４００に対して前兆検出部４５０が前兆を検出するような行為を行うだけ、探索周期T_List2が短く設定されるので、システム補足がなされやすくなり、ユーザは迅速に通信を行うことができる。
【０１８９】
なお、上記第４の実施形態は、第１の実施形態に前兆検出部４５０を適用した場合について説明したが、第２の実施形態や第３の実施形態に適用することも可能である。第２の実施形態や第３の実施形態に適用する場合には、サーチカウンタＣｓの値をリセットする代わりに、サービス圏外に位置し始めてからの経過時間Ｔｅをリセットすることにより実現できる。
【０１９０】
また、上記第１乃至第４の実施形態では、Ｗ−ＣＤＭＡ方式のシステムと、ＧＳＭ方式のシステムを区別することなく、第１探索手段１４０ａ、２４０ａ，３４０ａあるいは４４０ａおよび第２探索手段１４０ｂ、２４０ｂ、３４０ｂあるいは４４０ｂにより、通信可能な基地局ＢＳを探索するものとして説明した。
【０１９１】
これに代わって例えば、図示しないキー入力部などを通じて予めユーザから通信方式を選択する設定を受け付け、この設定に基づいて、選択的に、Ｗ−ＣＤＭＡ方式のシステムのみ、ＧＳＭ方式のシステムのみ、あるいはＷ−ＣＤＭＡ方式のシステムとＧＳＭ方式のシステムの両方を探索するようにしてもよい。
【０１９２】
図１６（ａ）は、第１探索手段１４０ａ、２４０ａ，３４０ａあるいは４４０ａおよび第２探索手段１４０ｂ、２４０ｂ、３４０ｂあるいは４４０ｂにより、Ｗ−ＣＤＭＡ方式のシステムのみを探索する場合を示す。図１６（ｂ）は、第１探索手段１４０ａ、２４０ａ，３４０ａあるいは４４０ａおよび第２探索手段１４０ｂ、２４０ｂ、３４０ｂあるいは４４０ｂにより、ＧＳＭ方式のシステムのみを探索する場合を示す。そして、図１６（ｃ）は、第１探索手段１４０ａ、２４０ａ，３４０ａあるいは４４０ａおよび第２探索手段１４０ｂ、２４０ｂ、３４０ｂあるいは４４０ｂにより、Ｗ−ＣＤＭＡ方式のシステムとＧＳＭ方式のシステムの両方を探索する場合（Ｃ）を示す。
【０１９３】
この場合、第１リスト記憶エリア１３０ａ、２３０ａ、３３０ａおよび４３０ａには、過去に着信待ち受けに用いたチャネルや過去に通信に用いたチャネルに対応する周波数を識別する情報が、Ｗ−ＣＤＭＡ方式のシステムと、ＧＳＭ方式のシステムとで区別して記憶される。これらの情報は運用に応じて制御部１４０、２４０、３４０および４４０により更新される。
【０１９４】
また、第２リスト記憶エリア１３０ｂ、２３０ｂ、３３０ｂおよび４３０ｂには、当該無線端末で通信可能なすべての周波数を識別する情報がＷ−ＣＤＭＡ方式のシステムと、ＧＳＭ方式のシステムとで区別して記憶される。
【０１９５】
さらに、上記第１乃至第４の実施形態では、送受信部１１０、２１０，３１０および４１０の受信周波数を可変制御し、所定のチャネルを通じて基地局ＢＳから送信されるパイロット信号を検出することにより、基地局ＢＳの探索を行うものとした。
【０１９６】
これに加えて例えば、制御部１４０、２４０、３４０および４４０が、それぞれ送受信部１１０、２１０，３１０および４１０の受信周波数を可変制御し、図１７に示すように、ＲＳＳＩ（Received Signal Strength Indicator）レベルが閾値ｔｈを超える周波数を検出して、探索対象となる周波数を絞り込む。
【０１９７】
そして、この絞り込まれた周波数についてのみ、第１探索手段１４０ａ、２４０ａ，３４０ａおよび４４０ａ、第２探索手段１４０ｂ、２４０ｂ，３４０ｂおよび４４０ｂが、パイロット信号を検出することにより、基地局ＢＳの探索を行うようにしてもよい。
【０１９８】
このような周波数を絞り込む処理をパイロット信号検出に先立って行うことで、通信可能な基地局ＢＳを効率よく検出でき、またパイロット信号検出に伴う信号処理量を減らすことができるので、消費電力を低減することができる。
【０１９９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【０２００】
【図１】この発明に係わる移動無線端末の第１の実施の形態の構成を示す回路ブロック図。
【図２】図１に示した移動無線端末のサーチ周期テーブル記憶エリアに記憶されるテーブルの一例を示す図。
【図３】図１に示した移動無線端末が通信可能な基地局を探索する動作を説明するフローチャート。
【図４】図１に示した移動無線端末が通信可能な基地局を探索する動作を説明する図。
【図５】この発明に係わる移動無線端末の第２の実施の形態の構成を示す回路ブロック図。
【図６】図５に示した移動無線端末のサーチ周期テーブル記憶エリアに記憶されるテーブルの一例を示す図。
【図７】図５に示した移動無線端末が通信可能な基地局を探索する動作を説明するフローチャート。
【図８】図５に示した移動無線端末が通信可能な基地局を探索する動作を説明する図。
【図９】この発明に係わる移動無線端末の第３の実施の形態の構成を示す回路ブロック図。
【図１０】図９に示した移動無線端末のサーチ周期テーブル記憶エリアに記憶されるテーブルの一例を示す図。
【図１１】図９に示した移動無線端末が通信可能な基地局を探索する動作を説明するフローチャート。
【図１２】図９に示した移動無線端末が通信可能な基地局を探索する動作を説明する図。
【図１３】この発明に係わる移動無線端末の第４の実施の形態の構成を示す回路ブロック図。
【図１４】図１３に示した移動無線端末が通信可能な基地局を探索する動作を説明するフローチャート。
【図１５】図１３に示した移動無線端末が通信可能な基地局を探索する動作を説明する図。
【図１６】ＣＤＭＡ方式の基地局とＧＳＭ方式の基地局を区別して探索する場合の動作を説明するための図。
【図１７】ＲＳＳＩに基づいて、探索対象となる周波数を絞り込む処理を説明するための図。
【符号の説明】
【０２０１】
１１，２１，３１，４１…アンテナ、１００，２００，３００，４００…移動無線端末、１１０，２１０，３１０，４１０…送受信部、１２０，２２０，３２０，４２０…信号処理部、１３０，２３０，３３０，４３０…記憶部、１３０ａ，２３０ａ，３３０ａ，４３０ａ…第１リスト記憶エリア、１３０ｂ，２３０ｂ，３３０ｂ，４３０ｂ…第２リスト記憶エリア、１３０ｃ，２３０ｃ，３３０ｃ，３３０ｄ，４３０ｃ…サーチ周期テーブル記憶エリア、１４０，２４０，３４０，４４０…制御部、１４０ａ，２４０ａ，３４０ａ，４４０ａ…第１探索手段、１４０ｂ，２４０ｂ，３４０ｂ，４４０ｂ…第２探索手段、４５０…前兆検出部、ＢＳ…基地局、ＮＷ…移動通信網。
【図１】
2006237850.tif 000003
【図２】
2006237850.tif 000004
【図３】
2006237850.tif 000005
【図４】
2006237850.tif 000006
【図５】
2006237850.tif 000007
【図６】
2006237850.tif 000008
【図７】
2006237850.tif 000009
【図８】
2006237850.tif 000010
【図９】
2006237850.tif 000011
【図１０】
2006237850.tif 000012
【図１１】
2006237850.tif 000013
【図１２】
2006237850.tif 000014
【図１３】
2006237850.tif 000015
【図１４】
2006237850.tif 000016
【図１５】
2006237850.tif 000017
【図１６】
2006237850.tif 000018
【図１７】
2006237850.tif 000019